【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
単一ファイバ双方向光モジュールであって、
送信選択回路及び受信選択回路にそれぞれ接続された自己サーチ回路を備え、ここで、
前記自己サーチ回路は、チャネルをサーチし、チャネルサーチ結果に従って、光信号を送信するための少なくとも２つのチャネルのうちの１つを介して光信号を送信するよう前記送信選択回路に指示するように構成され、
ここで、光信号を送信するための前記少なくとも２つのチャネルの光波長は異なり、
前記自己サーチ回路は、チャネルサーチ結果に従って、光信号を受信するための少なくとも２つのチャネルのうちの１つを介して光信号を受信するよう前記受信選択回路に指示するように更に構成され、
ここで、光信号を受信するための前記少なくとも２つのチャネルの光波長は、光信号を送信するための前記少なくとも２つのチャネルの前記光波長に一致する、
単一ファイバ双方向光モジュール。
【請求項２】
前記送信選択回路は、送信駆動回路と、少なくとも２つの送信ユニットとを備え、ここで、前記少なくとも２つの送信ユニットによって送信される光信号の波長は異なり、
ここで、
前記送信駆動回路は、前記自己サーチ回路の指示に従って、光信号を送信するための前記少なくとも２つのチャネルのうちの１つを介して光信号を送信するように、前記少なくとも２つの送信ユニットのうちの１つを選択及び駆動するように構成される、
請求項１に記載の単一ファイバ双方向光モジュール。
【請求項３】
前記送信駆動回路は、第１の選択回路を介して前記少なくとも２つの送信ユニットに接続され、
前記送信駆動回路は、前記自己サーチ回路の前記指示に従って、光信号を送信するための前記少なくとも２つのチャネルのうちの１つを介して光信号を送信するように、前記少なくとも２つの送信ユニットのうちの１つを前記第１の選択回路を介して選択及び駆動するように構成される、
請求項２に記載の単一ファイバ双方向光モジュール。
【請求項４】
前記受信選択回路は、受信駆動回路と、少なくとも２つの受信ユニットとを備え、ここで、前記少なくとも２つの受信ユニットによって受信される光信号の波長は異なり、
ここで、
前記受信駆動回路は、前記自己サーチ回路の前記指示に従って、光信号を受信するための前記少なくとも２つのチャネルのうちの１つを介して光信号を受信するように、前記少なくとも２つの受信ユニットのうちの１つを選択及び駆動するように構成される、
請求項２に記載の単一ファイバ双方向光モジュール。
【請求項５】
前記受信駆動回路は、第２の選択回路を介して前記少なくとも２つの受信ユニットに接続され、
前記受信駆動回路は、前記自己サーチ回路の前記指示に従って、光信号を受信するための前記少なくとも２つのチャネルのうちの１つを介して光信号を受信するように、前記少なくとも２つの受信ユニットのうちの１つを前記第２の選択回路を介して選択及び駆動するように構成される、
請求項４に記載の単一ファイバ双方向光モジュール。
【請求項６】
前記送信ユニットは、電気／光変換器であり、前記受信ユニットは、光／電気変換器である、請求項４又は５に記載の単一ファイバ双方向光モジュール。
【請求項７】
前記自己サーチ回路は、前記受信選択回路が光信号を受信する際に何らかの例外が発生したかどうかを検出するように更に構成される、請求項１〜５のいずれか一項に記載の単一ファイバ双方向光モジュール。
【請求項８】
前記受信選択回路が光信号を受信する際に例外が発生した場合、前記自己サーチ回路は、前記送信選択回路及び前記受信選択回路に、光信号を受信するための現在のチャネル及び光信号を送信するための現在のチャネルを切り換えるよう指示するように更に構成される、請求項７に記載の単一ファイバ双方向光モジュール。
【請求項９】
単一ファイバ双方向光モジュールに基づく移送システムであって、
第１の単一ファイバ双方向光モジュールと、
第２の単一ファイバ双方向光モジュールとを備え、ここで、
前記第１の単一ファイバ双方向光モジュールは、請求項１〜８のいずれか一項に記載の前記単一ファイバ双方向光モジュールであり、
前記第２の単一ファイバ双方向光モジュールは、請求項１〜８のいずれか一項に記載の前記単一ファイバ双方向光モジュールであり、
光信号が、通信ファイバを介して、前記第１の単一ファイバ双方向光モジュールと、前記第２の単一ファイバ双方向光モジュールとの間を移送され、ここで、
前記第１の単一ファイバ双方向光モジュールの送信選択回路は、前記第２の単一ファイバ双方向光モジュールの受信選択回路に光信号を送信するように構成され、
前記第１の単一ファイバ双方向光モジュールの受信選択回路は、前記第２の単一ファイバ双方向光モジュールの送信選択回路によって送信された光信号を受信するように構成される、
単一ファイバ双方向光モジュールに基づく移送システム。
【請求項１０】
単一ファイバ双方向光モジュールに基づく光信号移送方法であって、
前記単一ファイバ双方向光モジュールの自己サーチ回路によって、チャネルをサーチすることと、
チャネルサーチ結果に従って、前記単一ファイバ双方向光モジュールによって、光信号を送信するための少なくとも２つのチャネルのうちの１つを介して光信号を送信することと、光信号を受信するための少なくとも２つのチャネルのうちの１つを介して光信号を受信することと、
を含み、ここで、光信号を送信するための前記少なくとも２つのチャネルの光波長は異なり、光信号を受信するための前記少なくとも２つのチャネルの光波長は、光信号を送信するための前記少なくとも２つのチャネルの前記光波長に一致する、
単一ファイバ双方向光モジュールに基づく光信号移送方法。
【請求項１１】
前記単一ファイバ双方向光モジュールの自己サーチ回路によって、チャネルをサーチすることは、
光信号の受信中、何らかの例外が発生したかどうかを検出することと、
光信号の前記受信中に例外が発生した場合、光信号を受信するための現在のチャネル及び光信号を送信するための現在のチャネルを切り換えることと、
を含む、請求項１０に記載の方法。
【手続補正２】
【補正対象書類名】明細書
【補正対象項目名】０００５
【補正方法】変更
【補正の内容】
【０００５】
ＳＦＰ、ＥＳＦＰ、及びＳＦＦ光モジュールと比較して、単一ファイバ双方向（Ｓｉｎｇｌｅ  Ｆｉｂｅｒ  Ｂｉ−ｄｉｒｅｃｔｉｏｎａｌ、ＳＦＰ）光モジュールは、はるかに少ないファイバリソースを占有する。単一ファイバ双方向光モジュールは、送信及び受信の両方のために１本のＬＣファイバを使用し、ホットプラギングをサポートし、光モジュールの電流及び電圧などの、性能に関する監視機能をサポートする。図１ｂは、移送システムにおける既存の単一ファイバ双方向光モジュールの適用手法を示す概略図である。図１ｂに示すように、単一ファイバ双方向光モジュールは、同じファイバ内で異なる波長を使用して、相互に干渉しない２つのチャネル（チャネル＿１及びチャネル＿２）を確立してもよい。
【手続補正３】
【補正対象書類名】明細書
【補正対象項目名】００３４
【補正方法】変更
【補正の内容】
【００３４】
受信駆動回路３５３は、自己サーチ回路の選択指示に従って、通信ファイバを介して受信された光信号に対して光／電気変換を実行するように第１の光／電気変換器５１又は第２の光／電気変換器５３を、第２の選択回路３５２を介して選択及び駆動するように構成される。この例では、受信駆動回路３５３は、光／電気変換器によって変換された信号を増幅してもよく、そして、２−ｔｏ−１選択回路、すなわち、第２の選択回路３５２を更に含んでもよい。もちろん、第２の選択回路３５２、及び受信駆動回路３５３は、別個に配置されてもよい。通常の動作では、受信駆動回路３５３は、第１の光／電気変換器５１、又は第２の光／電気変換器５３の信号を選択して、増幅を実行する。